(57)【特許請求の範囲】
【請求項１】
吸気口と排気口を有する本体ケースと、この本体ケース内には、吸湿部と放湿部を有する除湿ロータと、この除湿ロータを回転させる駆動手段と、第１の送風路と、再生経路とを備え、前記第１の送風路には、前記吸気口と、前記除湿ロータの前記吸湿部と、第１の送風手段と、前記排気口とを有し、前記再生経路には、前記除湿ロータの放湿部と、この放湿部の風上側に設けた発熱手段と、この放湿部の風下側に設けた再生チャンバーと、この再生チャンバーの風下側に設けた熱交換器と、この再生経路内の空気を循環させる第２の送風手段とを有し、前記第１の送風手段によって前記吸気口から前記本体ケース内に吸込んだ室内空気を、前記再生経路の前記熱交換器を通過後、前記第１の送風手段を経由し、前記排気口から前記本体ケース外に排気する送風路が形成され、前記再生経路内における前記再生チャンバーと前記熱交換器との間に第１の温度検出手段を設けると共に、前記第１の送風路における前記吸気口と前記除湿ロータとの間に第２の温度検出手段を設け、前記第１の温度検出手段または前記第２の温度検出手段によって検出された温度が所定の設定値を上回ると前記発熱手段への通電を遮断する制御部を備え、前記第２の温度検出手段の設定値は、前記第１の温度検出手段の設定値よりも低いことを特徴とした除湿装置。
【請求項２】
前記第２の温度検出手段は、前記再生チャンバーの外側で前記除湿ロータの回転方向下流側に設けられた請求項１記載の除湿装置。
【請求項３】
前記第２の温度検出手段は、前記再生チャンバーの外側で前記除湿ロータの半径方向の中央部に設けられた請求項１または２記載の除湿装置。
【請求項４】
前記第２の温度検出手段は、前記再生チャンバーと所定の距離を設けた請求項１〜３のいずれかに記載の除湿装置。
【請求項５】
前記第２の温度検出手段は、前記再生チャンバーから延びたコの字形状である支持部に固定された構成とした請求項１〜４のいずれかに記載の除湿装置。
【請求項６】
前記第２の温度検出手段は、所定の設定値を上回ると一定時間後に前記第２の送風手段への通電を遮断し、続いて一定時間後に前記第１の送風手段と前記駆動手段への通電を遮断する制御部を備えた請求項１〜５のいずれかに記載の除湿装置。
【請求項７】
前記本体ケースに表示手段を設け、前記第２の温度検出手段は、所定の設定値を上回ると前記表示手段に設けられたＬＥＤが点灯し、操作部による操作を無効とする制御を備えた請求項１〜６のいずれかに記載の除湿装置。
【請求項８】
前記再生チャンバーは、扇形状を成し、前記再生チャンバー内の結露水を回収するチャンバーガイドを設けた請求項４〜７のいずれかに記載の除湿装置。
【発明の詳細な説明】
【技術分野】
【０００１】
本発明は、室内空気を除湿する除湿装置に関するものである。
【背景技術】
【０００２】
吸気口と排気口を有する本体ケースと、操作部を有す表示手段と、この本体ケース内に設けられるとともに、吸湿部と放湿部を有する除湿ロータと、この除湿ロータを回転させる駆動手段と、前記本体ケースの前記吸気口から吸込んだ空気を、第１の送風路により、前記除湿ロータの吸湿部を通過後、前記排気口から本体ケース外に排気する第１の送風手段と、前記本体ケース内に設けられた再生経路とを備え、前記再生経路は、前記除湿ロータの放湿部と、この放湿部の風上側に設けた発熱手段と、この放湿部の風下側に設けた再生チャンバーと、この再生チャンバーの風下側に設けた熱交換器と、この再生経路内の空気を循環させる第２の送風手段とを有し、前記第１の送風手段によって前記吸気口から前記本体ケース内に吸込んだ室内空気を、前記再生経路の前記熱交換器を通過後、前記第１の送風手段を経由し、前記排気口から前記本体ケース外に排気する送風路が形成され、前記再生チャンバーと前記熱交換器との間に温度検出手段を設け、前記温度検出手段が所定の設定値を上回ると前記発熱手段への通電を遮断する制御部を備えたことを特徴とした除湿装置が知られている。
【先行技術文献】
【特許文献】
【０００３】
【特許文献１】特開２００５−１９３０９８号公報
【発明の概要】
【発明が解決しようとする課題】
【０００４】
このような従来の除湿装置における課題は、吸気口または排気口が閉塞状態において、本体内部の温度上昇を更に速やかに検知するということであった。
【０００５】
すなわち、従来は再生経路内の再生チャンバーと熱交換器との間に温度検出手段を設け、温度検出手段が所定の設定値を上回ると発熱手段への通電を停止していた。これにより、除湿ロータを回転させる駆動手段のロック時等は、再生経路内の温度上昇が速いので、本体内部の温度上昇を温度検出手段が速やかに検知することが出来ていた。
【０００６】
ところが、洗濯物を乾かしている時に、洗濯物が落下し、吸気口または排気口を塞いだ場合に、吸気口または排気口が閉塞状態においては、除湿ロータを回転させる駆動手段のロック時ほど速く温度上昇が起こらない場合があった。
【０００７】
そこで本発明は、吸気口または排気口の閉塞状態時において、本体内部の温度上昇を更に速やかに検知することを目的とする。
【課題を解決するための手段】
【０００８】
吸気口と排気口を有する本体ケースと、吸気口と排気口を有する本体ケースと、この本体ケース内には、吸湿部と放湿部を有する除湿ロータと、この除湿ロータを回転させる駆動手段と、第１の送風路と、再生経路とを備え、前記第１の送風路には、前記吸気口と、前記除湿ロータの前記吸湿部と、第１の送風手段と、前記排気口とを有し、前記再生経路には、前記除湿ロータの放湿部と、この放湿部の風上側に設けた発熱手段と、この放湿部の風下側に設けた再生チャンバーと、この再生チャンバーの風下側に設けた熱交換器と、この再生経路内の空気を循環させる第２の送風手段とを有し、前記第１の送風手段によって前記吸気口から前記本体ケース内に吸込んだ室内空気を、前記再生経路の前記熱交換器を通過後、前記第１の送風手段を経由し、前記排気口から前記本体ケース外に排気する送風路が形成され、前記再生チャンバーと前記熱交換器との間に第１の温度検出手段を設けると共に、前記第１の送風路における前記吸気口と前記除湿ロータとの間に第２の温度検出手段を設け、前記第１の温度検出手段または前記第２の温度検出手段によって検出された温度が所定の設定値を上回ると前記発熱手段への通電を遮断する制御部を備え、前記第２の温度検出手段の設定値は、前記第１の温度検出手段の設定値よりも低いものであり、これにより初期の目的を達成するものである。
【発明の効果】
【０００９】
本発明によれば、吸気口と排気口を有する本体ケースと、この本体ケース内には、吸湿部と放湿部を有する除湿ロータと、この除湿ロータを回転させる駆動手段と、第１の送風路と、再生経路とを備え、前記第１の送風路には、前記吸気口と、前記除湿ロータの前記吸湿部と、第１の送風手段と、前記排気口とを有し、前記再生経路には、前記除湿ロータの放湿部と、この放湿部の風上側に設けた発熱手段と、この放湿部の風下側に設けた再生チャンバーと、この再生チャンバーの風下側に設けた熱交換器と、この再生経路内の空気を循環させる第２の送風手段とを有し、前記第１の送風手段によって前記吸気口から前記本体ケース内に吸込んだ室内空気を、前記再生経路の前記熱交換器を通過後、前記第１の送風手段を経由し、前記排気口から前記本体ケース外に排気する送風路が形成され、前記再生チャンバーと前記熱交換器との間に第１の温度検出手段を設けると共に、前記第１の送風路における前記吸気口と前記除湿ロータとの間に第２の温度検出手段を設け、前記第１の温度検出手段または前記第２の温度検出手段によって検出された温度が所定の設定値を上回ると前記発熱手段への通電を遮断する制御部を備え、前記第２の温度検出手段の設定値は、前記第１の温度検出手段の設定値よりも低いことを特徴としたものである。
【００１０】
すなわち、再生経路内における再生チャンバーと熱交換器との間に第１の温度検出手段を設けると共に、第１の送風路における吸気口と除湿ロータとの間に第２の温度検出手段を設け、第１の温度検出手段または第２の温度検出手段によって検出された温度が所定の設定値を上回ると発熱手段への通電を遮断する制御部を備え、前記第２の温度検出手段の設定値は、前記第１の温度検出手段の設定値よりも低いことにより、閉塞状態時における本体内部の温度上昇を速やかに検知することができる。
【００１１】
第１の温度検出手段は、閉塞状態時においても、通常状態よりは高温ではあるが、通常状態と同じ風量が再生経路内に循環送風され、この循環送風の温度を検出する。
【００１２】
一方、第２の温度検出手段は、通常状態では、除湿され室内へ排気される除湿空気の温度を検出しているが、閉塞状態時では、この除湿空気が本体ケース内で滞留するので、この滞留した除湿空気の温度を検出する。
【００１３】
つまり、この滞留した除湿空気は、わずかな空気の流れしか発生しないため、閉塞状態時では、第２の温度検出手段で検出する温度は、第１の温度検出手段で検出する温度より、速く高温となるので、閉塞状態時における本体内部の温度上昇を速やかに検知することができ、第２の温度検出手段の設定値を、第１の温度検出手段の設定値よりも低く設定することにより、吸気口または排気口の閉塞状態時における本体ケース内部の温度上昇を更に速やかに検知することができ、第２の温度検出手段は、第１の送風路における除湿ロータの上流側に位置するので、通常状態で、室内の湿度が低い低湿状態による影響を受けないので、第１の温度検出手段の設定値より、第２の温度検出手段の設定値を低く設定しても、室内の湿度が低い低湿状態において発生する不具合は発生しないものである。これにより、更に安全性を向上できるものである。
【図面の簡単な説明】
【００１４】
【図１】本発明の一実施形態を示す平面断面図
【図２】同分解斜視図
【図３】同断面概略図
【発明を実施するための形態】
【００１５】
（実施の形態１）
以下本発明の１実施形態を添付図面を用いて説明する。図１、２に示すように、本実施形態の除湿装置は、吸気口２と排気口３を有する本体ケース１と、この本体ケース１内に、吸湿部５と放湿部６を有する除湿ロータ４と、再生経路７とを備えている。
【００１６】
再生経路７は、除湿ロータ４の放湿部６と、この放湿部６の風上側に設けた発熱手段であるヒータ８と、この放湿部６の風下側に設けた再生チャンバー９と、この再生チャンバー９の風下側に設けた熱交換器１０と、この熱交換器１０の風下側に設け再生経路７内の空気を循環させる第２の送風手段１１とを有し、吸気口２と第１の送風手段１４との間の風路に除湿ロータ４の吸湿部５を設けた構成としたものである。
【００１７】
更に詳細に説明すると、図２において、本体ケース１の背面側に吸気口２、上方に排気口３を有し、この本体ケース１の前面の下方には、受皿１２が出没自在に設けられている。また、この本体ケース１内には、吸湿部５と放湿部６を有する除湿ロータ４が回転自在に配置されており、その回転駆動は駆動手段であるモータ１３によって行われるようになっている。
【００１８】
さらに、この本体ケース１内の前方には、図１の矢印Ａに示す第１の送風路のごとく、本体ケース１の吸気口２から吸込んだ室内空気を、除湿ロータ４の吸湿部５を通過後、排気口３から本体ケース１外に排気する第１の送風手段１４を設けている。
【００１９】
この第１の送風手段１４は、背面側の第１の吸込口１５と、図２に示す上方の第１の吹出口１６を有する第１のケーシング１７と、この第１のケーシング１７内に設けた第１の羽根１８と、この第１の羽根１８を駆動する第１の電動機１９とを有し、除湿ロータ４の吸湿部５を通過後の室内空気は、第１の吸込口１５から第１のケーシング１７に流入し、第１の羽根１８で加圧され、第１の吹出口１６と、排気口３を介して本体ケース外に排気される。
【００２０】
また、本体ケース１内には、図１に示すように再生経路７が設けられており、この再生経路７は、除湿ロータ４の放湿部６と、この放湿部６の風上側に設けた発熱手段であるヒータ８と、この放湿部６の風下側に設けた再生チャンバー９と、この再生チャンバー９の風下側に設けた熱交換器１０と、この再生経路７内の空気を循環させる第２の送風手段１１とを有している。なお、この再生経路７は本体ケース１内の通気路としては独立している。
【００２１】
さらに、この本体ケース１内には図１の矢印Ｂに示すごとく、第１の送風手段１４によって吸気口２から本体ケース１内に吸込んだ室内空気を、再生経路７の熱交換器１０を通過後、第１の送風手段１４を経由し、排気口３から本体ケース１外に排気する送風路が形成されている。
【００２２】
ただし、矢印Ｂの室内空気は、熱交換器１０内を通過する再生経路７の空気とは、この熱交換器１０を構成する熱伝導面を介して熱交換されるだけで、この熱交換器１０部分で混合されることはない。
【００２３】
ここで、再生経路７の動作について説明すると、ヒータ８で加熱された、再生経路７の空気は、放湿部６（除湿ロータ４の吸湿部５が回転してこの放湿部６）において、湿気を放出させ、この高温、過湿状態の空気が、風下側に設けた再生チャンバー９を介して、更に風下側の熱交換器１０に送られる。
【００２４】
この熱交換器１０には上述のごとく、矢印Ｂに示すごとく、第１の送風手段１４によって室内空気が送風されているので、高温、過湿状態の空気は冷却され、これにより結露し、これが受皿１２内に溜められる。
【００２５】
除湿ロータ４の吸湿部５は、矢印Ａで示すごとく室内空気が通過するごとに、湿気を吸着し、これが除湿ロータ４の回転により、次に上述した放湿部６となって、吸湿経路７内に湿気を放出させ、このような循環により室内空気の除湿が行われる。
【００２６】
本実施形態における特徴は、再生経路７内の再生チャンバー９と熱交換器１０との間に第１の温度検出手段２０を設けると共に、第１の送風路における吸気口２と除湿ロータ４との間に第２の温度検出手段２１を設け、第１の温度検出手段２０または第２の温度検出手段２１が所定の設定値を上回るとヒータ８への通電を遮断する制御部２２を備えたことを特徴とした点である。
【００２７】
具体的には、図１、２に示すように、第１の温度検出手段２０は、再生チャンバー９と熱交換器１０との間の再生経路７内上方に位置し、この再生経路７の循環送風の温度を検出する。第２の温度検出手段２１は、吸気口２と除湿ロータ４との間に位置し、また再生チャンバー９下部に接しており、第１の送風路内の除湿空気の温度を検出する。これらの第１の温度検出手段２０または第２の温度検出手段２１が検出する温度が、所定の設定値の温度を上回ると、制御部２２がヒータ８への通電を遮断する。
【００２８】
すなわち、第１の温度検出手段２０は、閉塞状態時においても、通常状態よりは高温ではあるが、通常状態と同じ風量が再生経路７内に循環送風され、この循環送風の温度を検出する。
【００２９】
一方、第２の温度検出手段２１は、通常状態では、除湿され室内へ排気される除湿空気の温度を検出しているが、閉塞状態時では、この除湿空気が本体ケース１内で滞留するので、この滞留した除湿空気の温度を検出する。
【００３０】
つまり、この滞留した除湿空気は、わずかな空気の流れしか発生しないため、閉塞状態時では、第２の温度検出手段２１で検出する温度は、第１の温度検出手段２０で検出する温度より、速く高温となるので、閉塞状態時における本体ケース１内部の温度上昇を速やかに検知することができる。これにより、更に安全性を向上できるものである。
【００３１】
また、第２の温度検出手段２１を設けずに、第１の温度検出手段２０の設定値の温度を単に下げると、以下のような不具合が発生する場合がある。
【００３２】
すなわち、室内の湿度が低い低湿状態においては、除湿ロータ４に水分の吸着が十分になされず、それに伴い除湿ロータ４からの水分の発散も十分に行われなくなり、再生経路７内の温度が高温状態になる為、通常状態にもかかわらず制御部２２がヒータ８への通電を遮断してしまう不具合が発生する場合がある。よって、再生チャンバー９と熱交換器１０との間に第１の温度検出手段２０を設けると共に、第１の送風路における吸気口２と除湿ロータ４との間に第２の温度検出手段２１を設けることにより、上記課題を解決できるものである。
【００３３】
なお、第１の温度検出手段２０、および第２の温度検出手段２１は、一例としてサーミスターである。そして、第２の温度検出手段２１の設定値は、第１の温度検出手段２０の設定値よりも低くてもよい。つまり、第１の送風路における除湿ロータ４の上流側に位置するので、第２の温度検出手段２１は、通常状態で、室内の湿度が低い低湿状態による影響を受けないので、第１の温度検出手段２０の設定値より、第２の温度検出手段２１の設定値を低く設定しても、上記の室内の湿度が低い低湿状態において発生する不具合は発生しないものである。
【００３４】
すなわち、第２の温度検出手段２１の設定値を、第１の温度検出手段２０の設定値よりも低く設定することにより、閉塞状態時における本体ケース１内部の温度上昇を更に速やかに検知することができる。
【００３５】
また、第２の温度検出手段２１は、再生チャンバー９の除湿ロータ４の回転方向下流側に構成されたものである。
【００３６】
具体的には、除湿ロータ４は、中央部に回転支持部３０を有す、円板形状を成し、Ａｌ２Ｏ３／ＳｉＯ２を主成分とする吸湿材を基材に所定量担持させた水分を吸着する素子である。この除湿ロータ４は、モータ１３によって回転する。そして、除湿ロータ４の放湿部６は、ヒータ８と再生チャンバー９とによって挟まれている。この再生チャンバー９は、略扇形の椀形状で、本体ケース１背面側の吸気口２側に位置する。すなわち、メインフレーム２３内の本体ケース１上方側に位置し、風上側に除湿ロータ４、風下側に熱交換器１０が配置された構成としている。第２の温度検出手段２１は、円筒形状のチューブで保護され、また除湿ロータ４の回転方向下流側で、再生チャンバー９に固定されたものである。なお、除湿ロータ４は、吸気口２から見て時計の針と同じ方向に回転する。
【００３７】
これにより、除湿ロータ４がヒータ８からの熱により、水分を放出しながらモータ１３によって回転している為、回転方向下流側は絶乾状態の除湿ロータ４がさらされ、気化熱による冷却効果が得られない為、最も高温な領域の熱を検出できる作用を有し、本体ケース１内部の温度上昇を速やかに検知できる効果を奏する。
【００３８】
また、第２の温度検出手段２１は、再生チャンバー９の除湿ロータ４の半径方向の中央部に構成されたものである。具体的には、略扇形の略椀形状で、除湿ロータ４の放湿部６を覆うように装着されている。この再生チャンバー９の底面、つまり除湿ロータ４が回転する中心から斜め上方へ延びた再生チャンバー９の面の中央部に、第２の温度検出手段２１を設けたものである。
【００３９】
これにより、第１の送風路の除湿ロータ４風上側の再生チャンバー９周辺の滞留した除湿空気の温度、除湿ロータ４からの輻射熱、再生チャンバー９からの伝達熱を検出し、本体ケース１内部の温度上昇を速やかに検知できる効果を奏する。また、再生チャンバー９の底面の下部には、高温の空気が滞留し易いので、本体ケース１内部の温度上昇をより速やかに検知できる効果を奏する。
【００４０】
また、第２の温度検出手段２１は、再生チャンバー９と所定の距離を設けたものである。このように、第２の温度検出手段２１は、再生チャンバー９から距離を設けることで、低湿時の再生チャンバー９の伝達熱による影響を回避できるので、低湿状態の早切れを回避し、閉塞状態時においては本体ケース１内部の温度上昇を速やかに検知することができる。
【００４１】
具体的には、第２の温度検出手段２１は、再生チャンバー９から延びた略コの字形状である支持部２４に固定された構成としたものである。この支持部２４は、再生チャンバー９から延びた除湿ロータ４の回転方向における下流方向へ延びた２本の脚部２５と、この一方の脚部２５の先端から他方の脚部２５の先端へ延びた取付部２６とから形成している。そして、この取付部２６に第２の温度検出手段２１を取付けたものである。
【００４２】
すなわち、第２の温度検出手段２１は、再生チャンバー９と所定の距離を有すると共に、更に第２の温度検出手段２１は、再生チャンバー９との間に空間である空間部２７を有しているので、空間部２７に空気が流れ、再生チャンバー９からの伝達熱の影響を低減でき、低湿状態の早切れを回避し、閉塞状態時においては本体ケース１内部の温度上昇を速やかに検知することができる。
【００４３】
また、第２の温度検出手段２１は、所定の設定値を上回ると一定時間後に第２の送風手段１１への通電を遮断し、続いて一定時間後に第１の送風手段１４とモータ１３への通電を遮断する制御部２２を備えたものである。
【００４４】
これにより、第２の送風路のヒータ８より下流への熱負荷を低減させ、また第１の送風路へ一定時間送風することで本体ケース１内部を冷却することができる。
【００４５】
また、本体ケース１に表示手段を設け、第２の温度検出手段２１は、所定の設定値を上回ると表示手段に設けられたＬＥＤ３１が点灯し、操作部２８による操作を無効とする制御を備えたものである。
【００４６】
これにより、お客様に速やかにお知らせすることで拡大被害を防止することができる。
【００４７】
また、再生チャンバー９は、略扇形状を成し、再生チャンバー９内の結露水を回収するチャンバーガイド２９を設けたものである。
【００４８】
具体的には、チャンバーガイド２９は中空円柱形状を成し、再生チャンバー９の下面に位置し、再生チャンバー９の下面から結露水の受皿１２の上部まで延びている。これにより、再生チャンバー９に付着した結露水をチャンバーガイド２９を介して、受皿１２へ回収でき、第２の温度検出手段２１への結露水の付着を抑制でき、温度検知の精度を向上させることができる。
【産業上の利用可能性】
【００４９】
本発明によれば、吸気口と排気口を有する本体ケースと、この本体ケース内には、吸湿部と放湿部を有する除湿ロータと、この除湿ロータを回転させる駆動手段と、第１の送風路と、再生経路とを備え、前記第１の送風路には、前記吸気口と、前記除湿ロータの前記吸湿部と、第１の送風手段と、前記排気口とを有し、前記再生経路には、前記除湿ロータの放湿部と、この放湿部の風上側に設けた発熱手段と、この放湿部の風下側に設けた再生チャンバーと、この再生チャンバーの風下側に設けた熱交換器と、この再生経路内の空気を循環させる第２の送風手段とを有し、前記再生チャンバーと前記熱交換器との間に第１の温度検出手段を設けると共に、前記第１の送風路における前記吸気口と前記除湿ロータとの間に第２の温度検出手段を設け、前記第１の温度検出手段または前記第２の温度検出手段が所定の設定値を上回ると前記発熱手段への通電を遮断する制御部を備えたことを特徴としたものである。
【００５０】
すなわち、再生チャンバーと熱交換器との間に第１の温度検出手段を設けると共に、第１の送風路における吸気口と前記除湿ロータとの間に第２の温度検出手段を設け、第１の温度検出手段または第２の温度検出手段が所定の設定値を上回ると発熱手段への通電を遮断する制御部を備えたことにより、閉塞状態時における本体内部の温度上昇を速やかに検知することができる。
【００５１】
すなわち、第１の温度検出手段は、閉塞状態時においても、通常状態よりは高温ではあるが、通常状態と同じ風量が再生経路内に循環送風され、この循環送風の温度を検出する。
【００５２】
一方、第２の温度検出手段は、通常状態では、除湿され室内へ排気される除湿空気の温度を検出しているが、閉塞状態時では、この除湿空気が本体ケース内で滞留するので、この滞留した除湿空気の温度を検出する。
【００５３】
つまり、この滞留した除湿空気は、わずかな空気の流れしか発生しないため、閉塞状態時では、第２の温度検出手段で検出する温度は、第１の温度検出手段で検出する温度より、速く高温となるので、閉塞状態時における本体内部の温度上昇を速やかに検知することができる。
【００５４】
従って、家庭用や事務所用などの、除湿装置として活用が期待されるものである。
【符号の説明】
【００５５】
１    本体ケース
２    吸気口
３    排気口
４    除湿ロータ
５    吸湿部
６    放湿部
７    再生経路
８    ヒータ
９    再生チャンバー
１０  熱交換器
１１  第２の送風手段
１２  受皿
１３  モータ
１４  第１の送風手段
１５  第１の吸込口
１６  第１の吹出口
１７  第１のケーシング
１８  第１の羽根
１９  第１の電動機
２０  第１の温度検出手段
２１  第２の温度検出手段
２２  制御部
２３  メインフレーム
２４  支持部
２５  脚部
２６  取付部
２７  空間部
２８  操作部
２９  チャンバーガイド
３０  回転支持部
３１  ＬＥＤ
【図１】
0005476606.tif 000002
【図２】
0005476606.tif 000003
【図３】
0005476606.tif 000004